(57)【要約】【課題】振動による電気コードの被覆剥離が原因となるショートを防止したコンクリート締固め用バイブレータ装置を提供すること。また、把持部の振動を軽減したコンクリート締固め用バイブレータ装置を提供すること。【解決手段】振動発生手段１１ｃを振動筒１１ｂの内部に組み込んでなる棒状の振動部１１とこの振動部に接続された把持部１２と、からなるバイブレータ本体１０と、前記振動部に設けられた振動発生手段に電力を供給するバッテリー２０とを備え、前記把持部の内部には、ホース１２ａとその内部に収納された電気コード１２ｂとの間隙を埋める充填材１２ｃが充填されて構成されていることを特徴とするコンクリート締固め用バイブレータ装置。【選択図】 図１
2019019530.tif 000002
【特許請求の範囲】
【請求項１】
振動発生手段を振動筒の内部に組み込んでなる棒状の振動部とこの振動部に接続された把持部と、からなるバイブレータ本体と、
前記振動部に設けられた振動発生手段に電力を供給するバッテリーとを備え、
前記把持部の内部には、
ホースとその内部に収納された電気コードとの間隙を埋める充填材が充填されて構成されていることを特徴とするコンクリート締固め用バイブレータ装置。
【請求項２】
前記充填材は、ゲルであることを特徴とする請求項１に記載のコンクリート締固め用バイブレータ装置。
【発明の詳細な説明】
【技術分野】
【０００１】
本発明は、いまだ固まっていないコンクリートの締固め用バイブレータ装置に関する。
【背景技術】
【０００２】
一般に、コンクリートが練られた直後は、大きさの異なる砂や砂利、セメント、水、空気泡など、全く異質なものの混合物で、それらの物質どうしは摩擦力により一応の形は形成しているが、実は他の物質と混ざり合うことに抵抗している。
この状態だと、物質と物質との間の隙間や空気の泡などがあり、また、型枠との間も隙間だらけで、コンクリートは強度不足で粗い仕上がりとなる。
そのため、コンクリート打設の際にバイブレーターで適度の振動を与えることにより、内部の空気を除去し、コンクリートの密度を高め、骨材が均等に分布した強度の強いコンクリート製品が得られる。
床などの施工時におけるコンクリートの締固め作業にもバイブレータ装置が使用されるが、この場合、棒状のバイブレータ本体を備えるバイブレータ装置が用いられている。
【０００３】
バイブレーター装置は型枠内に投入されたコンクリートに適度な振動を与えることにより、コンクリートが型枠、鉄筋の隅々まで充填され、且つ、運搬、投入時に含まれた空気を追い出し、強度、水密性、耐久性に優れたコンクリートを作ることができる。
このようなバイブレータ装置は、棒状の振動部に比較的に長い把持部が接続されたバイブレータ本体を備え、この把持部内には振動部に設けられている振動発生手段に電力を供給する電気コードが収納されている。
【０００４】
振動部に接続された把持部は、前述したように、電源から振動部に接続する給電用の電気コード等を保護する機能を備えるが、更にこの把持部は、コンクリート締固め作業中に振動部を作業者が自由に操作するための支持部としての機能をも備えている。
従来のコンクリート締固め用のバイブレータとしては、以下の文献がある。
【先行技術文献】
【特許文献】
【０００５】
【特許文献１】実開昭６２−３４０４９号公報
【特許文献１】特許３６９２００２号公報
【発明の概要】
【発明が解決しようとする課題】
【０００６】
しかしながら、従来のコンクリート締固め用のバイブレータは、バイブレータ使用時において振動部１１から振動を受けて、ホース１２ａ内部に収納された電気コード１２ｂが擦れてその被覆が剥離し、電気コード１２ｂの絶縁性が保たれなくおそれがあった。
また、コンクリート締固め作業においては、作業員は、把持部であるホースを持って作業するので、振動部で発生した振動が伝わってくることに原因して大変な苦渋作業であった。
【０００７】
本発明の目的は、かかる従来の問題点を解決するためになされたもので、振動による電気コードの被覆剥離が原因となるショートを防止したコンクリート締固め用バイブレータ装置を提供することにある。
また、本発明の他の目的は、把持部の振動を軽減したコンクリート締固め用バイブレータ装置を提供することにある。
【課題を解決するための手段】
【０００８】
本発明はコンクリート締め固め用バイブレータ装置であり、前述した技術的課題を解決するために以下のように構成されている。
すなわち、本発明のコンクリート締固め用バイブレータ装置は、
振動発生手段を振動筒の内部に組み込んでなる棒状の振動部とこの振動部に接続された把持部と、からなるバイブレータ本体と、
前記振動部に設けられた振動発生手段に電力を供給するバッテリーとを備え、
前記把持部の内部には、
ホースとその内部に収納された電気コードとの間隙を埋める充填材が充填されて構成されていることを特徴とする。
また、前記充填材は、ゲルであることを特徴とする。
【発明の効果】
【０００９】
本発明のコンクリート締固め用バイブレータ装置は、振動発生手段を振動筒の内部に組み込んでなる棒状の振動部とこの振動部に接続された把持部と、からなるバイブレータ本体と、前記振動部に設けられた振動発生手段に電力を供給するバッテリーとを備え、
前記把持部の内部には、ホースとその内部に収納された電気コードとの間隙を埋める充填材が充填されているので、充填材１２ｃによって電気コード１２ｂを固定でき、ホース１２ａ内部に収納された電気コードどうしの擦れやホース１２ａ内壁との擦れが防止され、電気ショートの発生を防止することができる。
【図面の簡単な説明】
【００１０】
【図１】本発明の実施形態１に係るコンクリート締固め用のバイブレータ装置の全体構成を示す概略斜視図であり、（ａ）は作業者の腹の近くに配置されるように設けられた制御部が見える側からみた状態を示し、（ｂ）はバッテリー側からみた状態である。
【図２】本発明の実施形態２に係るコンクリート締固め用のバイブレータ装置の全体構成を示す概略斜視図であり、制御部が作業者の脇の近くに配置されるように設けられている状態を示す。
【図３】実施形態１のコンクリート締固め用のバイブレータ装置を構成するバイブレータ本体とこれに接続された把持部を組み立て状態で示す説明図である。
【図４】実施形態１のバイブレータ装置の把持部を説明する構成図である。
【図５】実施形態１のコンクリート締固め用のバイブレータ装置の使用例を示す説明図である。
【発明を実施するための形態】
【００１１】
以下、本発明のコンクリート締固め用バイブレータ装置の実施形態について、図面を用いて更に詳細に説明する。
【００１２】
＜バイブレータ本体＞
図１の概略斜視図に示すように、本発明の一実施形態に係るコンクリート締固め用バイブレータ装置（以下、単に「バイブレータ装置」と称する）は、バイブレータ本体１０と、バッテリー２０と、作業者の腹の近くに配置されるように設けられた制御部３０と、背負い部４０とを備えている。
また、図２は、実施形態２に係るコンクリート締固め用のバイブレータ装置の全体構成を示す概略斜視図であり、制御部が作業者の作業者の脇の近くに配置されるように設けられている点で、実施形態１のバイブレータ装置と異なるが、他の点は実施形態１のバイブレータ装置と同様である。
【００１３】
また、図３の説明図に示すように、バイブレータ本体１０は、先端側に設けられた棒状の振動部１１と、この振動部１１に接続された把持部１２と、から構成されている。
振動部１１は、外径３０〜５０ｍｍ、長さ３００〜５００ｍｍ程度のものが作業性の点で好ましく、その一端が先細り形状１１ａであり、一端が開口した振動筒１１ｂと、その内部に配置された振動発生手段１１ｃと、振動発生手段１１ｃに連結されたモーター部１１ｄとを備えている。
【００１４】
振動発生手段１１ｃは、その両端部に支持軸１１ｅが設けられ、回転可能に支持されている。
振動発生手段１１ｃの振動周波数は、モーター部１１ｄを介して制御部３０からの信号によって調整可能であるが、コンクリート打ち込みに適した振動周波数は２００〜２４０Ｈｚ程度であるとされている。
【００１５】
＜把持部＞
振動部１１には、作業時に手で把持するための把持部１２の一端が接続されている。
図４（ａ）の斜視図に示すように、把持部１２は、その外周を構成する筒状の可撓性材料で形成されたホース１２ａと、ホース１２ａの内部に収納された電気コード１２ｂとを備えている。
ホース１２ａとしては、ネオプレンゴム、クロロプレンゴムなどの合成ゴム製の耐圧ホースなどが挙げられる。
クロロプレンゴムは、クロロプレン（CH2=C(Cl)−CH=CH2）の重合によって得られる。
【００１６】
＜電気コード＞
図４（ａ）の斜視図に示すように、把持部１２の内部には、モーター部１１ｄへ給電するため、その外周を塩化ビニルなどの絶縁材料で被覆された電気コード１２ｂが通されている。
【００１７】
＜充填材＞
そして、図４（ｂ）の切断断面図に示すように、電気コード１２ｂが通されたホース１２ａの内部には、充填材１２ｃが充填されている。
充填材１２ｃとしては、細く長いホース１２ａの内部に流し込み可能な反応硬化型の液状樹脂などが挙げられる。
例えば、ウレタン樹脂、シリコン樹脂やゲルなどである。
充填材１２ｃによって電気コード１２ｂを固定することにより、ホース１２ａ内部に収納された電気コードどうしの擦れやホース１２ａ内壁との擦れが防止され、電気ショートの発生を無くすことができる。
これにより、振動時において、把持部１２が振動部１１から振動を受けても、ホース１２ａ内部での電気コード１２ｂが擦れて被覆材が剥離することはなくなり、電気コード１２ｂの絶縁性が保たれる。
なお、電気コード１２ｂの端部には接続端子部１２ｄ、１２ｅが設けられており、それぞれが、モーター部１１ｄおよび制御部３０と接続されている。
【００１８】
＜振動吸収効果＞
充填材は、前述したように、把持部１２の内部での電気コード１２ｂの摩耗を防止する役割が主であるが、把持部１２での振動吸収効果も有している。
把持部１２は、作業員がホース１２ａを手で把持して作業するので、振動吸収機能を有するものが好ましい。
振動吸収効果を有する樹脂としては、ウレタン樹脂、シリコーン樹脂などの弾性機能を有する高分子プラスチック素材や、ゲルなどの粘弾性体が挙げられる。
ここで、ゲルとは、コロイド溶液 （ゾル） が流動性を失ってゼリー状となったものをいう。
高分子物質またはコロイド粒子がその相互作用により全体として網目構造をつくり，溶媒あるいは分散媒である液相を多量に含んだまま流動性を失った状態のことである。
【００１９】
制御部３０は、振動部１１のモーター部１１ｄに所定電圧の作動電流を供給すると共に、その給電を所定の指示に基づいて停止する動作を行うような制御部３０を備えている。
【００２０】
＜バッテリー＞
バッテリー２０は、バイブレータ本体を駆動するための電源である。
電源のない屋内・屋外の現場でも使用できる。
バッテリーとしては、軽量で高性能のリチウムイオンバッテリーが挙げられる。
一例としては、１２Ｖ・１８Ａｈリチウムイオンバッテリーなどが採用される。
【００２１】
＜背負い部＞
背負い部４０は、作業者がバッテリー２０を背負うための背負子の役割をなす。
左右の腕を通す肩掛けベルト４１，４１と、バッテリー２０を固定するための固定部４２を有する。
【００２２】
＜使用例＞
次に、この実施形態に係るバイブレータ装置の使用例を、床施工で使用する場合を例にとって説明する。
【００２３】
図５の使用例を示す説明図に示すように、まず、作業員は把持部１２を把持した状態で、
バイブレータ本体１０の振動部１１を、打設したコンクリートに浸す。
【００２４】
次いで、作業者は制御部３０を操作して、バイブレータ本体１０の振動部１１のモーター部１１ｄへの通電を開始する。
これにより、バイブレータ本体１０の振動部１１が振動し、コンクリートが締め固められる。
その結果、バイブレータ装置を用いてコンクリートの締固め作業が容易に実施され、作業者の苦渋作業を解消でき、この種の作業の省力化を図ることができる。
【実施例】
【００２５】
＜振動部１１＞
一端が開口した振動筒１１ｂの外径を４０ｍｍとし、長さを３５０ｍｍとした。
＜ホース＞
ネオプレンゴム製の、外径３５ｍｍ、内径２３ｍｍ、長さ１５００ｍｍのものを用いた。
＜バッテリー＞
リチウムバッテリーは、１２Ｖ、１８Ａｈのｍのものを用いた。
また、制御部として、スイッチパネルとレバー型のＯＮ、ＯＦＦスイッチを腹部に設置した。
【産業上の利用可能性】
【００２６】
本発明のコンクリート締固め用バイブレータ装置は、振動発生手段を振動筒の内部に組み込んでなる棒状の振動部とこの振動部に接続された把持部と、からなるバイブレータ本体と、前記振動部に設けられた振動発生手段に電力を供給するバッテリーとを備えており、把持部の内部には、ホースとその内部に収納された電気コードとの間隙を埋める充填材が充填されているので、充填材によって電気コードを固定でき、ホース内部に収納された電気コードどうしの擦れやホース内壁との擦れが防止され、電気ショートの発生を防止することができる。
よって、本発明のコンクリート締固め用バイブレータ装置を用いることにより、コンクリート打設の際にバイブレーターで適度の振動を与えることができ、内部の空気を除去し、コンクリートの密度を高め、骨材が均等に分布した強度の強いコンクリート製品が得られ、産業上の利用可能性が高い。
【符号の説明】
【００２７】
１０  バイブレータ本体
１１  振動部
１１ａ  先細り形状
１１ｂ  振動筒
１１ｃ  振動発生手段
１１ｄ  モーター部
１１ｅ  支持軸
１２  把持部
１２ａ  ホース
１２ｂ  電気コード
１２ｃ  充填材
１２ｄ、１２ｅ  接続端子部
２０  バッテリー
３０  制御部
４０  背負い部
４１  肩掛けベルト
４２  固定部
【図１】
2019019530.tif 000003
【図２】
2019019530.tif 000004
【図３】
2019019530.tif 000005
【図４】
2019019530.tif 000006
【図５】
2019019530.tif 000007